(57)【要約】【課題】屋根幕上に雨水等を溜めることなく落水させることができるテントのシンプルな屋根幕構造を提供するものである。【解決手段】３本以上の支柱と、これら支柱を角として形成される平面図形の辺をなすように各支柱間に架けられるフレームと、を備え、設置時に、各フレームの任意の水平位置における最上部を連続的に繋いで得るラインが、前記平面図形の周回に渡って略鉛直方向における起伏形状を作出するテントにおいて、前記起伏形状に沿うように形成される縁部を有する屋根幕を当該テントに配置して構成されることを特徴としている。【選択図】  図１
2005002699.tif 000002
【特許請求の範囲】
【請求項１】
３本以上の支柱と、これら支柱を頂点として形成される平面図形の辺をなすように各支柱間に架けられるフレームと、を備え、
設置時に、これら各フレームの任意の水平位置における前記フレームの最上部を連続的に繋いで得るラインが、前記平面図形の周回に渡って略鉛直方向の起伏形状を作出するテントにおいて、
前記起伏形状に沿うように、形成される縁部を有する屋根幕を前記テントに配置して構成されることを特徴とするテントの屋根幕構造。
【請求項２】
前記平面図形の辺をなすフレームを周回に渡って囲繞する側幕の上端形状を、前記起伏形状に沿うように形成し、前記屋根幕の縁部と対応させて連結して構成されることを特徴とする請求項１に記載のテントの屋根幕構造。
【請求項３】
前記平面図形の各辺をなすフレームが、少なくとも２本以上のフレームをクロスさせてなるＸフレームを少なくとも１つ以上ヒンジ接続してなるトラス手段であり、この両端に位置したＸフレームの自由端の上側を前記支柱に軸支するとともに下側を前記支柱に沿って摺動可能に軸支して、折り畳み可能に構成され、
設置時に、これら前記平面図形の辺をなす各フレームの任意の水平位置における前記フレームの最上部を連続的に繋いで得るラインが、前記平面図形の周回に渡って略鉛直方向の起伏形状を作出するテントにおいて、
屋根幕の下部縁部を前記起伏形状に沿うように形成すると共に、前記フレームを周回に渡って囲繞する側幕の上端形状を、前記起伏形状に沿うように形成し、前記屋根幕の縁部と対応させて連結して構成したことを特徴とするテントの屋根幕構造。
【発明の詳細な説明】
【０００１】
【発明の属する技術分野】
本発明は、折り畳み式のテントに関する。
【０００２】
【従来の技術】
天蓋やタープとも呼ばれる支柱で屋根幕を支える形式のテントには、屋根幕を支柱と紐で緊張させて設置するものや頂点部を中心に傘型に拡がり、その裾野を支柱で支えるもの、或いは屋根幕支持構造を施して、雨水等の重みによる屋根幕の弛みを軽減するように工夫されたものがある。特に、屋根幕支持構造を施してなるテントの代表例として、特許公報第２８３６９５６号に開示されたようなものがあげられる。
【０００３】
この従来例のテントは、４本の直立レッグ（支柱）と、該直立レッグ間に架けられるシザー組立体（トラス手段）及び、このテントの頂点部を形成するためのルーフ支持部材によって支持される中央ポストとから構成され、そして四角錐の頂点から底辺部位の各角とを結ぶ斜辺をロープで支持し、また平面図形の辺部をなす屋根幕の縁部を各支柱の上端によって、屋根幕を支持する構造となっている。
【０００４】
【特許文献１】
特許第２８３６９５６号
【０００５】
【発明が解決しようとする課題】
上記従来技術においては、４本の支柱の上端と、ルーフ支持部材によってテント中央に立設する中央ポストの上端の５点、及びこの５点を結ぶ４斜辺のみにより屋根幕を支える支持構造であり、平面図形の辺に相当する屋根幕の縁部は、各支柱の上端のみによって支えられる点支持構造であるため、平面図形の辺をなす屋根幕の縁部は、その屋根幕の自重で弛んでしまい、雨等が降った場合には、さらに前記の弛みに雨水等が溜まりやすく改善の余地がある。
【０００６】
また一度屋根幕が弛んでしまうと雨水等の重みが加わり、屋根幕の生地がこの弛み部分に寄せ集まってしまい、更に雨水等が溜まりやすくなるという問題があった。このように、屋根幕の生地が弛んでしまうと溜まる水の量も増加し、鉛直方向の負荷が度を超えるとテントが倒壊してしまう畏れがある。
【０００７】
これらの点の改善方法について、支持構造をより強固にするという方法をとれば、重量の増加や収納時におけるコンパクト性を欠くこと、或いは部品点数が増加してしまうこと、又は組立作業の複雑化に繋がり、実用性に欠けるものとなってしまう。
【０００８】
したがって、本発明においては屋根幕の支持構造を根本的に見直し、部品点数を増すことなく、屋根幕における雨水等の溜水を殆ど皆無とする屋根幕構造を提供するものである。
【０００９】
【課題を解決する為の手段】
本発明のテントは、３本以上の支柱と、これら支柱を角として形成される平面図形の辺をなすように各支柱間に架けられるフレームと、を備え、設置時に、各フレームの任意の水平位置における最上部を連続的に繋いで得るラインが、前記平面図形の周回に渡って略鉛直方向における起伏形状を有する若しくは作出するテントにおいて、前記起伏形状に沿うように形成される縁部を有する屋根幕を当該テントに配置して構成されることを特徴としている。
【００１０】
このテントの屋根幕構造においては、テントの頂点部からの傾斜面、或いは斜辺に屋根幕支持構造を施して屋根幕の弛みを予防するのではなく、若しくは、前記平面図形の辺に相当する屋根幕の縁部を水平方向に直線的に支持するのでもなく、略鉛直方向における起伏形状を作出するフレームの該起伏形状に沿うように、縁部形状が形成される屋根幕を配置して構成するようにしてあるので、テントを設置したときに屋根の各面は平面とならず、フレームの起伏形状によって作出される少なくとも１つの谷部を有した形状となる。これによって、傾斜角度が増大するとともに該谷部が雨水等の流路をなすことになり、水を溜めることなくスムーズに落水させることが可能で、水溜まりを解消することができる。
【００１１】
このような本発明のテントの屋根幕構造では、部品を増強したり補強したりすることによらず屋根幕の形状のみを違えたものであるので、製造工程は殆ど従来と変わらずに生産することができ安価にして効果的な落水を行うことができる。しかも、近年主流をなしている折り畳みフレーム式のテントにおけるシザー組立体やＸフレームとも呼ばれるフレームは設置時において、各支柱間に架けられる平面図形をなすフレームの任意の水平位置における最上部を連続的に繋いで得られるラインが、該平面図形の周回に渡って略鉛直方向におけるジグザグの起伏形状を作出するものであるから、当該発明の屋根幕構造を適用することができる。このとき、適用対象である折り畳みフレーム式のテントが斜辺若しくは斜面の屋根支持構造を備えたものであってもよいことは勿論である。ただし、斜面の屋根支持構造の場合には、当該発明の屋根幕に作出される稜線又は谷部と屋根幕を支持するフレームとの位置関係を対応させることが望ましい。更に言うまでもなく当該発明のテントの屋根幕構造は、折り畳み式のテントのみならず、組み立て式のものであっても、平面図形の辺をなす各フレームの任意の水平位置における該フレームの最上部を連続的に繋いで得られるラインが、該平面図形の周回に渡って略鉛直方向の起伏形状を有する若しくは作出するものであればよいことは勿論である。
【００１２】
また該フレームを該平面図形の周回に渡って囲繞する側幕の上端形状を、該起伏形状に沿うように形成し、屋根幕の縁部の起伏形状と対応させて連結した構成とすることが可能であり、この場合、テント側面に露出したフレームを被覆することができるので、風雨に対する補強にもなり、デザイン的にも好適なものとすることが可能である。
【００１３】
【発明の実施の形態】
以下、本発明の一実施形態につき、図面を参照して説明する。
【００１４】
図１に、本発明の屋根幕構造の適用例としてのテントの設置状態における斜視図を示している。本例のテント（３）の支柱（４）は４本あり、したがってこれを拡げた場合に形成される平面図形は４本の支柱（４）を角とした四辺形、更に特定的には長方形である。その支柱（４）間の辺部分には、トラス構造（５）をなす二本のフレーム（６）をクロスさせてなるＸフレーム（７）のユニットが四つ、梁として架け渡されている。この長辺及び短辺におけるトラス構造（５）のクロス点（８）はそれぞれ３点、２点となっている。このフレーム（６）のクロス点（８）部分は、各フレーム（６）の任意の水平位置における最上部の中で最も低位であり、またトラス構造（５）間の連結点（９）部分は、各フレーム（６）の任意の水平位置における最上部の中で最も高位をなしている。よって、各フレーム（６）の任意の水平位置における最上部を連続的に繋いで得るライン（１０）、すなわちＸフレーム（７）の上半分のＶ字形状を平面図形の周回に渡って繋いで得るライン（１０）において（図２参照）、クロス点（８）部分及び連結点（９）部分は、それぞれ谷線（１１）の端点、稜線（１２）の端点に相当する点となっている。そして、該ライン（１０）に沿うように縁部（１３）を形成した屋根幕（１）を配置した構成となっていて、したがって長辺部分の屋根幕（１）には谷部が三つと２本の稜線（１２）が作出されて、短辺部分の屋根幕（１）には谷部が二つと１本の稜線（１２）が作出される。また、向き合う短辺のほぼ中点である連結点（９）間には、２点の連結点（９）を有するトラス構造（５）をなすフレーム（６）が架け渡されていて、これら２点の連結点（９）に接続された上方にそれぞれ直立する２本の屋根支持部材（１４）を備えている（図３参照）。したがって、これら２本の屋根支持部材（１４）の上端点（１５）間を結ぶ線分を頂点、若しくは最上部（１６）の辺とするように構成されており、よってこれらの二つの上端点（１５）からそれぞれに近い方の２本の支柱（４）の上端（１７）とを結ぶ合計４本の線分に相当する稜線（１２）が屋根幕（１）の斜辺として作出されるかたちとなっている。図示の例は、屋根幕（１）の最上部（１６）が２点若しくは１辺であって支柱（４）の高さより突出して高くなっているが、これに限定されないことは勿論であり、この高さが各支柱（４）のそれ以上であれば、少なくとも谷線（１１）と稜線（１２）部分との高低差による傾斜が作出されるので、これによって雨水等の落水はなされ得るのである。
【００１５】
更に、本発明の屋根幕構造における屋根幕（１）の支持構造は、前記説明の通り、該フレーム（６）の上部のライン（１０）の起伏形状に沿うように、屋根幕（１）の縁部（１３）を対応させているので、屋根幕（１）の縁部（１３）は、従来のように点支持ではなく、該ライン（１０）による起伏形状の曲線的な支持構造となっているため、点支持や直線的支持に比べ非常に頑丈になっている。
【００１６】
図４に、前記図示の例と同等な支柱及びフレーム構造を有し且つ従来の屋根幕構造を備えてなるテントの例を前記図示の例と同等な視点からの斜視図によって示し、当該発明の屋根幕構造との相違を明示している。図４に示すように、従来の屋根幕構造においては、屋根幕（１８）の形状が各フレーム（６）の任意の水平位置における最上部を連続的に繋いで得るライン（１０）に対応しておらず、トラス構造（５）間の連結点（９）部分を作用点として、屋根幕（１８）の縁部（１９）において縁部（１９）方向の張力が作用し、この周辺に中途半端な弛み（２０）をもった格好となっている。このため、この中途半端な弛み（２０）に少量ずつ雨水等が溜まり、次第にその重みによって、屋根幕（１８）が該弛み（２０）部分に寄せ集まり、更に弛み（２０）が大きくなって行くというプロセスを辿るということになっている。この点、当該発明の屋根幕構造においては、前記のような弛み（２０）ができないよう、予め屋根幕構造を先に説明したように構成したことによって、稜線（１２）間に作出される谷部が丁度、溝のような役割を果たし雨水等を屋根幕（１）に溜めずに流水させ或いは落水する格好となっていて、前記の如くの過程をほぼ完全に回避することを可能としている。
【００１７】
このように効果的に落水される屋根幕構造、或いはそれを可能とする屋根幕（１）の形状の一例を更に明示したものが図５であり、これと従来の屋根幕（１８）の形状との相違を比較し得るように従来の屋根幕（１８）形状を図示したものが図６である。
【００１８】
図５は、図１に示した本例の短辺に相当する屋根幕（１）の配置前における屋根幕（１）形状と、これに対応する側幕（２）形状を示したものである。図５に示すように、本発明の屋根幕（１）は縁部（１３）に相当する辺の形状が、各フレーム（６）の任意の水平位置における最上部を連続的に繋いで得るライン（１０）に沿うようにカットして形成される。また側幕（２）の上端（２１）形状は、屋根幕（１）の縁部（１３）に対応した形状にカットされ、用途や必要に応じて、該屋根幕（１）と該側幕（２）を連結した構成とすることができる。他方、従来の屋根幕（１８）及び側幕（２２）の形状は、図６に示すように各支柱（４）の上端（１７）間を結ぶ線分に合わせて直線的にカットして形成され、またこれら屋根幕（１８）及び側幕（２２）を連結して構成していた。
【００１９】
図７と図８は、それぞれ図１、図４に示した本例及び従来品の短辺方向からみた屋根支持部材（１４）位置における断面図であって、前者は落水の様子を示したものであり、後者は弛み部分に水が溜まった様子を示したものである。
【００２０】
図７に示したように、本発明の屋根幕構造では、屋根幕（１）の最上部（１６）と、支柱（４）の上端（１７）又はトラス構造（５）の上方の連結点（９）と、を結ぶ稜線（１２）が傾斜面において常に最高位を形成し、これに対して、トラス構造（５）のクロス点（８）に、この点に対応する当該発明の屋根幕（１）の縁部（１３）を配置することによって作出される屋根幕（１）の最上部（１６）とトラス構造（５）のクロス点（８）とを結ぶ谷線（１１）は、該傾斜面から垂下し、稜線（１２）より低位に形成され、該最高位の稜線（１２）と最低位の谷線（１１）間における高低差によって、屋根幕（１）の斜面内に流水路の役割を果たす溝のようなものが作出されるので、雨水等の水は屋根幕（１）上に止まることなく落水するようになっている。
【００２１】
他方、従来の屋根幕構造における屋根幕（１８）は、各支柱（４）の上端（１７）間を結んで得られる平面図形の辺において、該上端（１７）及びトラス構造（５）の上方の連結点（９）間に、吊られた格好で配置されている。これによって、これら各点間に屋根幕（１８）の弛み（２０）が形成されてしまい、該各支柱（４）の上端（１７）間を結ぶ辺の高さ（Ｈ）より、弛み（２０）の下端の高さ（ｈ）が垂下した格好となって、図８に示すように、屋根幕（１８）上に水が溜まってしまっていた。
【００２２】
また元来、屋根幕は比較的撥水性のある化繊素材から構成されているが、本発明の屋根幕構造においては、更に撥水加工を施したものを屋根幕（１）の生地に用いることができ、この場合、従来の生地に増して円滑な雨水等の落水が可能となる。
【００２３】
【発明の効果】
本発明によれば、屋根幕の縁部の形状をフレームの上部ラインの起伏形状に沿うようにして、屋根幕上に流水路の役割を果たす立体的な起伏が作出される構造としたことで、屋根幕上に雨水等が止まることなく効果的に除去され、且つ構造がシンプルで生産工程を複雑化することなく安価にして壊れ難く、しかも長期使用にも耐え得る、そして折り畳み式テント等にも適用できるテントの屋根幕構造を提供することができる。
【図面の簡単な説明】
【図１】本発明に係るテントの屋根幕構造を適用したテントの斜視図。
【図２】本発明に係るフレームの上部のラインを示すテントの骨組み構造の斜視図。
【図３】本発明に係るテントの屋根幕構造を適用したテントの骨組み構造を示す斜視図。
【図４】本例のテントと同等な骨組み構造を有し且つ従来の屋根幕構造を備えてなるテントの斜視図。
【図５】本例の短辺に相当する屋根幕の配置前における屋根幕形状と、これに対応する側幕形状を示した説明図。
【図６】従来の例の短辺に相当する屋根幕の配置前における屋根幕形状と、これに対応する側幕形状を示した説明図。
【図７】本例の短辺方向からみた屋根支持部材位置における断面図であり、落水の様子を示した説明図。
【図８】従来の例の短辺方向からみた屋根支持部材位置における断面図であり、弛み部分に水が溜まった様子を示した説明図。
【符号の説明】
（１）  屋根幕
（２）  側幕
（３）  テント
（４）  支柱
（５）  トラス構造
（６）  フレーム
（７）  Ｘフレーム
（８）  クロス点
（９）  連結点
（１０）  ライン
（１１）  谷線
（１２）  稜線
（１３）  縁部
（１４）  屋根支持部材
（１５）  上端点
（１６）  最上部
（１７）  上端
（１８）  屋根幕
（１９）  縁部
（２０）  弛み
（２１）  上端
（２２）  側幕
（Ｈ）  高さ
（ｈ）  高さ
【図１】
2005002699.tif 000003
【図２】
2005002699.tif 000004
【図３】
2005002699.tif 000005
【図４】
2005002699.tif 000006
【図５】
2005002699.tif 000007
【図６】
2005002699.tif 000008
【図７】
2005002699.tif 000009
【図８】
2005002699.tif 000010